(57)【特許請求の範囲】
【請求項１】
設置機器に縦向きに取り付けられる支持フレームと、
この支持フレーム上に設けられ、 背面板と、この背面板との間にシート状物を収容するための間隔をおいて配置された前面板とを有する収納ケースと、
この収納ケースの前記前面板を跨ぐように配置され、該前面板の裏面に当接する第１の支持部材と、
前記収納ケースの前面板の表面に配置されて前記収納ケースを下方から支える支持フレームの前面に当接する第２の支持部材と、
この第２の支持部材と一体にかつほぼ水平に連結され、上面に載置された物品を支持する支持台を備えたホルダ部材と、を有し、
前記第１の支持部材と前記第２の支持部材とは上部で連結されており、かつこれら第１の支持部材と第２の支持部材との間の内部位置には、前記収納ケースの前面板の上端部に係合される凹状の係合空間が設けられ、
前記第１の支持部材は前記前面板の裏面に面接触する支持面を有し、
前記第２の支持部材は第１の支持部材の支持面へ向けて突出して、前記支持フレームの表面に複数箇所で接触することにより、前記支持面との間に前記前面板および前記支持フレームを挟む支持突起を有することを特徴とする物品支持装置の取付構造。
【発明の詳細な説明】
【技術分野】
【０００１】
本発明は、コンビニエンスストア等に設置されるＡＴＭ（Automatic Teller’s Machine）のパンフレットケースに適用可能な物品支持装置の取付構造に関する。
【背景技術】
【０００２】
ＡＴＭを操作する場合には、手荷物等を一時的に置く設備が必要とされることがある。特に、コンビニエンスストアの店内に設けられたＡＴＭの場合には、客が、店内で購入した飲料等の入ったカップを持ちながらＡＴＭを操作することがあり、客の利便性の面から、あるいは、誤ってカップが転倒し、こぼれた飲料がＡＴＭの故障の原因となることを防止する面から、このカップ等を一時的に安定して保持することができる設備が求められていた。
【０００３】
飲料が入ったカップを安定して保持するいわゆるカップホルダとして、例えば特許文献１に示される技術が提供されている。
特許文献１に示されるテーブル装置は、車両用シートのシートバックの背面から車両後方へ突出された展開位置と該シートバックの背面側へ傾倒される格納位置との間で該シートバックに回動可能に設けられたテーブルを有するものである。
【先行技術文献】
【特許文献】
【０００４】
【特許文献１】特開２０１３−１１２１７３号公報
【発明の概要】
【発明が解決しようとする課題】
【０００５】
しかしながら、特許文献１に示されるテーブル装置は、乗用車に特化されたものであり、コンビニエンスストア店内での使用には適当ではない。
すなわち、特許文献１に示される技術は、コンビニエンスストア店内の限られたＡＴＭ設置用スペースに転用することができるものではなく、コンビニエンスストア店内の設置環境に相応しい物品支持装置が望まれていた。
【０００６】
この発明は、上述した事情に鑑みてなされたものであって、例えばコンビニエンスストア店内のＡＴＭ設置領域といった限られた環境にも容易かつ簡単に設置することができることができる物品支持装置の取付構造を提供することを目的とする。
【課題を解決するための手段】
【０００７】
上記課題を解決するために、この発明は以下の手段を提案している。
本発明の物品支持装置の取付構造は、設置機器に縦向きに取り付けられる支持フレームと、この支持フレーム上に設けられ、 背面板と、この背面板との間にシート状物を収容するための間隔をおいて配置された前面板とを有する収納ケースと、この収納ケースの前記前面板を跨ぐように配置され、該前面板の裏面に当接する第１の支持部材と、 前記収納ケースの前面板の表面に配置されて前記収納ケースを下方から支える支持フレームの前面に当接する第２の支持部材と、 この第２の支持部材と一体にかつほぼ水平に連結され、上面に載置された物品を支持する支持台を備えたホルダ部材と、を有し、 前記第１の支持部材と前記第２の支持部材とは上部で連結されており、かつこれら第１の支持部材と第２の支持部材との間の内部位置には、前記収納ケースの前面板の上端部に係合される凹状の係合空間が設けられ、 前記第１の支持部材は前記前面板の裏面に面接触する支持面を有し、  前記第２の支持部材は第１の支持部材の支持面へ向けて突出して、前記支持フレームの表面に複数箇所で接触することにより、前記支持面との間に前記前面板および前記支持フレームを挟む支持突起を有することを特徴とする。
【発明の効果】
【０００８】
本発明の物品支持装置の取付構造は、コンビニエンスストア店内のＡＴＭに隣接されたパンフレットケース等の収納ケースに容易かつ簡単に設置することができ、ＡＴＭ利用者の利便性を向上させることができる。
【図面の簡単な説明】
【０００９】
【図１】本発明の全体構成を示す側断面図である。
【図２】本発明が適用される収納ケースが併設されたＡＴＭを示す斜視図であって、（Ａ）は全体図、（Ｂ）は本発明に係る物品支持装置を示す図である。
【図３】本発明に係る物品支持装置を示す側断面図であって、（Ａ）は全体図、（Ｂ）は収納ケースとの係合状態を示す図である。
【図４】本発明に係る物品支持装置の全体を示す斜視図である。
【図５】図４の物品支持装置のスティックホルダを示す斜視図である。
【発明を実施するための形態】
【００１０】
本発明の基本構成について図１を参照して詳細に説明する。
図１に符号１で示すものは収納ケースであって、本例ではシート状物Ｐ（例えば、パンフレット）が差し込まれるシート状物ケースが示されている。
この収納ケース１は、ＡＴＭ（図示略）の本体側面に複数のボルトでボルト締めすること等によって連結される支持フレーム２に上に脱着自在に設置される。また前記支持フレーム２は、例えば薄鋼板等によって中空状に形成され、前記収容ケース１を差し込むための開口部が形成された構造となっている。
また、この収納ケース１は、前後に複数のシート状物収納箱３を有する構成であり、上下方向に延びかつ一定の間隔をおいて配置されたパネル４の区画により物品収納空間５が形成されている。
【００１１】
複数のシート状物収納箱３の中で、最前部に位置するシート状物収納箱３は、背面板６と、該背面板６との間に間隔をおいて配置された前面板７とからなるパネル４を有しており、これら背面板６及び前面板７の間にシート状物を収容する物品収納空間５が形成されている。
【００１２】
この収納ケース１において、最前部に位置するシート状物収納箱３には、本発明に係る物品支持装置１００が脱着自在に配置される。
この物品支持装置１００は、該前面板７の裏面に当接する第１の支持部材１０と、前面板７の表面側に位置する第２の支持部材１１と、該第２の支持部材１１と一体に連結されたホルダ部材１２とから構成される。
【００１３】
第１の支持部材１０は、収納ケース１の前面板７を跨ぐように配置され、前面板７の裏面に当接する。
第２の支持部材１１は、収納ケース１の前面板７の表面側に配置されて収納ケース１を下方から支える支持フレーム２の前面２Ａに当接する。
ホルダ部材１２は、第２の支持部材１１と一体にかつほぼ水平に連結され、上面に載置された物品を支持する支持台１３を備えている。
【００１４】
そして、以上のように構成された物品支持装置１００では、収納ケース１の前面板７を跨ぐように配置された第１の支持部材１０が、該前面板７の裏面に当接する一方で、収納ケース１の前面板７の表面に配置された第２の支持部材１１が、収納ケース１を下方から支える支持フレーム２の前面２Ａに当接する。
すなわち、本発明の物品支持装置１００では、第１の支持部材１０により収納ケース１の前面板７に密着させることができ、かつ第２の支持部材１１によりその自重（又は飲料、傘・杖などのスティックを含む重量）を収納ケース１支える支持フレーム２に支持させることができる。
【００１５】
そして、このような第１及び第２の支持部材１０・１１により、物品支持装置１００を収納ケース１の前面板７に安定した状態で保持させることができる。
また、収納ケース１に対する物品支持装置１００の装着は、収納ケース１の前面板７に跨ぐように第１及び第２の支持部材１０・１１を配置するだけで、簡易に行うことができる。
【００１６】
また、第２の支持部材１１には、上面に載置された物品を支持する支持台１３を備えたホルダ部材１２が一体に設けられているので、これら第１及び第２の支持部材１０・１１を介して収納ケース１の前面板７に、支持台１３を備えたホルダ部材１２を水平配置することが可能となり、該ホルダ部材１２の支持台１３上に、飲料を一時的に置くことができる。
そして、このような技術を、コンビニエンスストア店内のＡＴＭに設置される、収納ケース１となるシート状物ケース（パンフレットケース）に適用すれば、該シート状物ケースに対して容易に物品支持装置１００を装着することができ、かつこの状態で該物品支持装置１００の支持台１３上に、ＡＴＭ利用者の飲料を一時的に置くことができる。これによって本発明ではコンビニエンスストアのＡＴＭ利用者の利便性をさらに向上させることが可能となる。
従って、本発明の物品支持装置１００は、コンビニエンスストア店内のＡＴＭに隣接されたシート状物ケース等の収納ケース１に容易かつ簡単に設置することができ、ＡＴＭ利用者の利便性を向上させる効果を奏するものである。
【００１７】
（実施形態）
次に、図２〜図５を参照して、本発明の物品支持装置の取付構造が適用される物品支持装置１０１について説明する。
図２に符号２０で示すものは収納ケースであって、本例ではシート状物Ｐとなるパンフレットが差し込まれるパンフレットケースが例示されている。
この収納ケース２０は、ＡＴＭ２００の本体２０１の側部に連結される支持フレーム２１上に脱着自在に設置される。
ここで、収納ケース２０の前面板２６（後述する）の上端部は、図３に示されるように前側下方に向けて折れ曲がった前板折返し部４０を有しており、該前板折返し部４０の内側空間部４１は、収納ケース２０が支持フレーム２１に設置された際に、支持フレーム２１の上部にて上方に突出する支持フレーム鋭角部４２に嵌合する。これによって収納ケース２０が、ＡＴＭ本体２０１の側部に位置する支持フレーム２１に上に連結される（図３により後述する）。
【００１８】
また、この収納ケース２０は、図２（Ａ）及び図３に示されるように、前後に複数段のパンフレット収納箱２２を有する構成であり、上下方向に延びかつ一定の間隔をおいて配置されたパネル２３の区画により物品収納空間２４が形成されている。
【００１９】
複数のパンフレット収納箱２２の中で、最前部に位置するパンフレット収納箱２２は、背面板２５と、該背面板２５との間に間隔をおいて配置された前面板２６とからなるパネル２３を有し、これら背面板２５及び前面板２６の間にパンフレットを収容する物品収納空間２４が形成される構成である。
【００２０】
この収納ケース２０において、最前部に位置するパンフレット収納箱２２には、本発明に係る物品支持装置１０１が脱着自在に配置される。
この物品支持装置１０１は、図３に示されるように、収納ケース２０の前面板２６の裏面２６Ａに当接する第１の支持部材３０と、前面板２６の表面２６Ｂ側に位置する第２の支持部材３１と、該第２の支持部材３１と一体に連結されたホルダ部材３２とから構成される。
【００２１】
第１の支持部材３０は、収納ケース２０の前面板２６を跨ぐように配置され、前面板２６の裏面２６Ａに当接する。また、この第１の支持部材３０は前面板２６の裏面２６Ａに面接触する支持面２７を有しており、該支持面２７を介して、収納ケース２０の前面板２６の裏面２６Ａに密着する。
第２の支持部材３１は、収納ケース２０の前面板２６の表面２６Ｂ側に配置されて収納ケース２０を下方から支える支持フレーム２１の前板２１Ａに当接する。また、この第２の支持部材３１は、前面板２６の表面２６Ｂに複数箇所で線接触する支持突起２８を有
しており、複数の支持突起２８を介して、支持フレーム２１の前板２１Ａに密着する。
【００２２】
第１と第２の支持部材３０・３１とは上部で連結されており、かつこれら第１及び第２の支持部材３０・３１との間の内部位置には、収納ケース２０の前面板２６の上端部に係合される凹状の係合空間２９が設けられている。
そして、この第１と第２の支持部材３０・３１間の係合空間２９内に、収納ケース２０の前面板２６の上端部が収容される。
【００２３】
この収納ケース２０の前面板２６の上端部は前側下方に向けて折れ曲がった折返し部４０を有している。
折返し部４０の内側空間部４１は、収納ケース２０が支持フレーム２１に設置された際に、支持フレーム２１の上部にて上方に突出する支持フレーム鋭角部４２に嵌合する。これによって収納ケース２０が、ＡＴＭ本体２０１の側部に位置する支持フレーム２１に上に連結固定されるものである。
一方、凹状の係合空間２９に面する第２の支持部材３１の表面には、突状部４３が設けられており、この突状部４３によって収納ケース２０の前面板折返し部４０を押えて物品支持装置１０１の抜け止めを行うとともに、支持フレーム２１に対して収納ケース２０を固定保持する。
【００２４】
ホルダ部材３２は、第２の支持部材３１と一体にかつほぼ水平に連結され、上面に載置された物品を支持する支持台３３を備えている。
このホルダ部材３２の支持台３３は、図４及び図５に示すように、後方側に位置して飲料をホールドするカップホルダ５０と、該カップホルダ５０の前方側に位置して杖・傘などの棒状体を引っ掛けるスティックホルダ５１とを有するものであって、スティックホルダ５１はカップホルダ５０の前部に形成された凹状部５０Ａにネジ（図示略）により固定されている。
【００２５】
カップホルダ５０は、図４に示すように平面視四角形状のカップ収納空間５２を有するものであり、この四角形状のカップ収納空間５２に、コーヒーなどのカップ飲料の他、缶・プラスチックボトル・紙パックなどの飲料も適宜載置することができる。
スティックホルダ５１は、図５に詳細に示すように、杖・傘などの棒状体を引っ掛ける円環部５３を有し、棒状体を出し入れする該円環部５３の切欠部５４に、スティック抜止め爪５５が配置されたものである。
スティックホルダ５１は全体がゴム材により形成されており、これによってスティック抜止め爪５５が弾性変形して、円環部５３の切欠部５４を通じた棒状体の出し入れを容易に行わせることができる。
【００２６】
以上詳細に説明したように本実施形態に示される物品支持装置１０１では、収納ケース２０の前面板２６を跨ぐように配置された第１の支持部材３０が、該前面板２６の裏面２６Ａに当接する一方で、収納ケース２０の前面板２６の表面２６Ｂに配置された第２の支持部材３１が、収納ケース２０を下方から支える支持フレーム２１の前板２１Ａに当接する。
すなわち、本実施形態に示される物品支持装置１０１では、第１の支持部材３０により収納ケース２０の前面板２６に密着させることができ、かつ第２の支持部材３１によりその自重（又は飲料、傘・杖などのスティックを含む重量）を収納ケース２０支える支持フレーム２１に支持させることができる。
そして、このような第１及び第２の支持部材３０・３１により、物品支持装置１０１を収納ケース２０の前面板２６に安定した状態で保持させることができる。
また、収納ケース２０に対する物品支持装置１０１の装着は、収納ケース２０の前面板２６に跨ぐように第１及び第２の支持部材３０・３１を配置するだけで、簡易に行うこと
ができる。
【００２７】
また、第２の支持部材３１には、上面に載置された物品を支持する支持台３３を備えたホルダ部材３２が一体に設けられているので、これら第１及び第２の支持部材３０・３１を介して収納ケース２０の前面板２６に、支持台３３を備えたホルダ部材３２を水平配置することが可能となり、該ホルダ部材３２の支持台３３上に、飲料を一時的に置くことができる。
【００２８】
そして、このような技術を、図２に示されるコンビニエンスストア店内のＡＴＭ２００に設置される、収納ケース２０となるパンフレットケースに適用すれば、該パンフレットケースに対して容易に物品支持装置１０１を装着することができ、かつこの状態で該物品支持装置１０１の支持台３３上に、ＡＴＭ利用者の飲料を一時的に置くことができる。これによって本実施形態に示される物品支持装置１０１では、コンビニエンスストアのＡＴＭ利用者の利便性をさらに向上させることが可能となる。  
具体的には、上述した物品支持装置１０１は、ＡＴＭ２００横のパンフレット収納ケース２０に付随して設けられるものであるので、ＡＴＭ利用者が気付き易く、この点においてもＡＴＭ利用者の利便性向上に寄与するとともに、ローコストで設置でき、保守・交換などのメンテナンスも容易に行うことができる。
【００２９】
従って、本実施形態に示される物品支持装置１０１では、コンビニエンスストア店内のＡＴＭ２００に隣接されたパンフレットケース等の収納ケース２０に容易かつ簡単に設置することができ、ＡＴＭ利用者の利便性を向上させることができる効果を奏するものである。
【００３０】
なお、上記実施形態では、物品支持装置１０１を、コンビニエンスストア店内のＡＴＭ２００に隣接されたパンフレット収納ケース２０に設置したが、設置箇所はコンビニエンスストアに限定されず、銀行店舗のＡＴＭの他、スーパー・書店等の店舗のレジ横にある収納ケースに設置しても良い。
【００３１】
また、図４及び図５に示すように、ホルダ部材３２の支持台３３を、カップホルダ５０とスティックホルダ５１とから構成したが、いずれか一方であっても良く、又は携帯電話器などの物品を載置可能な小テーブルをさらに追加しても良い。
【００３２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３３】
本発明は、コンビニエンスストア等に設置されるＡＴＭのパンフレットケースに適用可能な物品支持装置の取付構造に関する。
【符号の説明】
【００３４】
１  収納ケース
２  支持フレーム
３  シート状物収納ケース
６  背面板
７  前面板
１０  第１の支持部材
１１  第２の支持部材
１２  ホルダ部材
１３  支持台
２０  収納ケース
２１  支持フレーム
２５  背面板
２６  前面板
２６Ａ  裏面
２６Ｂ  表面
３０  第１の支持部材
３１  第２の支持部材
３２  ホルダ部材
３３  支持台
４０  前板折返し部
４１  内側空間部
４２  支持フレーム鋭角部
５０  カップホルダ
５１  スティックホルダ
５２  カップ収納空間
５３  円環部
５４  切欠部
５５  スティック抜止め爪
１００  物品支持装置
１０１  物品支持装置
２００  ＡＴＭ
２０１  ＡＴＭ本体
【図１】
0006676963.tif 000002
【図２】
0006676963.tif 000003
【図３】
0006676963.tif 000004
【図４】
0006676963.tif 000005
【図５】
0006676963.tif 000006